(57)【特許請求の範囲】
【請求項１】
原稿を読み取り該原稿に基づく画像データを作成する原稿読取装置と、該原稿読取装置から受信した画像データを記録媒体上にプリントするプリント装置とが通信可能に接続された画像処理システムにおいて、
上記原稿読取装置が、
読み取った原稿に基づき作成した画像データを処理する画像処理部であって、該画像処理部の少なくとも一部が、回路論理の書換え可能なデバイスで構成された第１の画像処理部と、
不揮発性メモリと、
与えられた回路構成情報に基づき、上記第１の画像処理部の回路論理を書き換える制御手段と、を備える一方、
上記プリント装置が、
上記原稿読取装置から受信した画像データを処理する第２の画像処理部と、
上記第１の画像処理部の回路論理を書き換えるための回路構成情報を記憶する記憶手段と、を備えており、
上記制御手段は、接続されたプリント装置の第２の画像処理部の処理仕様を識別し、該プリント装置の記憶手段から転送された回路構成情報に基づき、上記第１の画像処理部の回路論理を書き換えるとともに、その回路構成情報を上記不揮発性メモリに格納し、上記原稿読取装置の電源投入時に、上記原稿読取装置の第１の画像処理部の処理仕様として、前回と同じ仕様が要求された場合には、該不揮発性メモリから回路構成情報を読み出して、上記第１の画像処理部の回路論理を書き換える、ことを特徴とする画像処理システム。
【請求項２】
原稿を読み取り該原稿に基づく画像データを作成する原稿読取装置と、該原稿読取装置から受信した画像データを記録媒体上にプリントするプリント装置とが通信可能に接続された画像処理システムにおいて、
上記プリント装置が、
上記原稿読取装置から受信した画像データを処理する画像処理部であって、該画像処理部の少なくとも一部が、回路論理の書換え可能なデバイスで構成された第２の画像処理部と、
不揮発性メモリと、
与えられた回路構成情報に基づき、上記第２の画像処理部の回路論理を書き換える制御手段と、を備える一方、
上記原稿読取装置が、
読み取った原稿に基づき作成した画像データを処理する第１の画像処理部と、
上記第２の画像処理部の回路論理を書き換えるための回路構成情報を記憶する記憶手段と、備えており、
上記制御手段は、接続された原稿読取装置の第１の画像処理部の処理仕様を識別し、該原稿読取装置の記憶手段から転送された回路構成情報に基づき、上記第２の画像処理部の回路論理を書き換えるとともに、その回路構成情報を上記不揮発性メモリに格納し、上記プリント装置の電源投入時に、上記プリント装置の第２の画像処理部の処理仕様として、前回と同じ仕様が要求された場合には、該不揮発性メモリから回路構成情報を読み出して、上記第２の画像処理部の回路論理を書き換える、ことを特徴とする画像処理システム。
【発明の詳細な説明】
【０００１】
【発明の属する技術分野】
本発明は、画像データを例えば解像度，カラー／モノクロ，階調数に関する所定の仕様で処理する画像処理回路がそれぞれ組み込まれる走査装置及び印刷装置を有し、複写処理を行う画像処理システムに関する。
【０００２】
【従来の技術】
昨今の情報処理技術の進歩に伴ない、近年では、多くの製造業者により様々な画像処理システムが市販され、各種の画像処理システムが一般に普及するようになった。このような画像処理システムとして、例えば、原稿を光学的に読み取り電子画像データに変換するスキャナや受信された画像データを記録媒体上に印刷するプリンタがよく知られている。これらスキャナ及びプリンタは、一般的には、パーソナルコンピュータへ個々に接続されて、若しくは、互いに接続されて使用され、前者の場合、両機器はパーソナルコンピュータを通じて画像データを伝送し、また、一方、後者の場合には、直接に画像データを伝送する。
特に、スキャナとプリンタとが互いに接続されて複写処理を行う画像処理システムを構成する後者の場合、通常、上記各機器には所定の画像処理回路がそれぞれ組み込まれ、画像データは、各機器の画像処理回路において処理されつつ両機器間で伝送されるようになっている。
【０００３】
ところで、かかる画像処理システムでは、通常、スキャナ及びプリンタが、それぞれ、解像度，カラー／モノクロ，階調数に関して固有の仕様を有しており、各機器においては、その仕様に基づき画像データが処理されるようになっている。このとき、画像データが各機器における画像処理回路により逐次処理され、所望の品質を備えたコピーが作成されるには、画像データが両機器の画像処理回路において同一の仕様で処理される必要がある。このため、固有の仕様を有するスキャナ及びプリンタでは、互いに同一の仕様を有するもの同士を接続することになる。
このように、スキャナ及びプリンタが共に固有の仕様を有する場合には、接続される他の機器との対応性について乏しく、例えば、プリンタを仕様の異なるものに買い換える場合には、スキャナもそれと同じ仕様を有するものに買い換える必要が生じて来る。これは、顧客のコスト面における負担を重くする要因であった。
【０００４】
かかる問題に応じて、例えば全ての組合せに対応するように各種の画像処理回路を予め搭載し、これらを切り換えることにより、従来の構成でも異なる仕様を有する機器同士の接続は可能である。しかし、この場合には、複数の画像処理回路を設ける必要があり、このため、回路規模が増大し、コストアップを招来する惧れがある。また、この場合には、更に別の仕様を有する新規の機器に対応不可能であるという問題があった。
【０００５】
【発明が解決しようとする課題】
これに関連して、互いに仕様の異なる走査装置及び印刷装置が接続されてなる複写処理用の画像処理システムを考える。この画像処理システムでは、走査装置及び印刷装置の少なくとも一方において、それに組み込まれる画像処理回路の一部に、プログラム可能な論理モジュールを規則的に並べ、その間に配線領域を用意して、論理モジュールと配線領域をプログラムに応じて接続することで所望の論理を実現するデバイスが使用される。かかる画像処理回路は、与えられた回路構成情報に基づき画像データの処理仕様について設定可能であり、この画像処理回路が、他方の装置における画像処理回路の仕様情報に応じて、それと同じ処理仕様を有するように設定されることにより、仕様の異なる走査装置及び印刷装置を互いに接続させて複写処理を行うことができる。
【０００６】
前述した画像処理システムでは、画像データの処理仕様について設定可能な画像処理回路として、一般的に、揮発性のデバイスが用いられ、該画像処理回路において所定の回路構成情報に基づき設定された画像データの処理仕様は、電源オフ時に、保持されることなく無効になる。このため、再度電源が投入され、前回と等しい仕様が要求される場合にも、上記画像処理回路に対して前回と同一の回路構成情報を転送する必要がある。上記画像処理回路は、再度転送されてきた回路構成情報に基づき、画像データの処理仕様について、前回と同じ回路を設定することになる。すなわち、この場合には、回路構成情報の転送時間と回路構成情報に基づく回路の設定時間の双方が必要となり、電源投入時に前回と異なる仕様が要求される場合と同等に、装置の立上り時間が長くなる。
【０００７】
そこで、本発明は、上記技術的課題に鑑みてなされたもので、電源投入時の立上り時間を短縮することができる画像処理システムを提供することを目的とする。
【０００８】
【課題を解決するための手段】
本願の請求項１に係る発明は、原稿を読み取り該原稿に基づく画像データを作成する原稿読取装置と、該原稿読取装置から受信した画像データを記録媒体上にプリントするプリント装置とが通信可能に接続された画像処理システムにおいて、上記原稿読取装置が、読み取った原稿に基づき作成した画像データを処理する画像処理部であって、該画像処理部の少なくとも一部が、回路論理の書換え可能なデバイスで構成された第１の画像処理部と、不揮発性メモリと、与えられた回路構成情報に基づき、上記第１の画像処理部の回路論理を書き換える制御手段と、を備える一方、上記プリント装置が、上記原稿読取装置から受信した画像データを処理する第２の画像処理部と、上記第１の画像処理部の回路論理を書き換えるための回路構成情報を記憶する記憶手段と、を備えており、上記制御手段は、接続されたプリント装置の第２の画像処理部の処理仕様を識別し、該プリント装置の記憶手段から転送された回路構成情報に基づき、上記第１の画像処理部の回路論理を書き換えるとともに、その回路構成情報を上記不揮発性メモリに格納し、上記原稿読取装置の電源投入時に、上記原稿読取装置の第１の画像処理部の処理仕様として、前回と同じ仕様が要求された場合には、該不揮発性メモリから回路構成情報を読み出して、上記第１の画像処理部の回路論理を書き換える、ことを特徴としたものである。
【０００９】
また、本願の請求項２に係る発明は、原稿を読み取り該原稿に基づく画像データを作成する原稿読取装置と、該原稿読取装置から受信した画像データを記録媒体上にプリントするプリント装置とが通信可能に接続された画像処理システムにおいて、上記プリント装置が、上記原稿読取装置から受信した画像データを処理する画像処理部であって、該画像処理部の少なくとも一部が、回路論理の書換え可能なデバイスで構成された第２の画像処理部と、不揮発性メモリと、与えられた回路構成情報に基づき、上記第２の画像処理部の回路論理を書き換える制御手段と、を備える一方、上記原稿読取装置が、読み取った原稿に基づき作成した画像データを処理する第１の画像処理部と、上記第２の画像処理部の回路論理を書き換えるための回路構成情報を記憶する記憶手段と、備えており、上記制御手段は、接続された原稿読取装置の第１の画像処理部の処理仕様を識別し、該原稿読取装置の記憶手段から転送された回路構成情報に基づき、上記第２の画像処理部の回路論理を書き換えるとともに、その回路構成情報を上記不揮発性メモリに格納し、上記プリント装置の電源投入時に、上記プリント装置の第２の画像処理部の処理仕様として、前回と同じ仕様が要求された場合には、該不揮発性メモリから回路構成情報を読み出して、上記第２の画像処理部の回路論理を書き換える、ことを特徴としたものである。
【００１０】
【発明の実施の形態】
以下、本発明の実施の形態について、添付図面を参照しながら説明する。
図１に、本発明の実施の形態に係る画像処理システムの構成を示す。この画像処理システム１０は、原稿を光学式に読み取り電子画像データに変換するスキャナ３と、該スキャナ３から受信された画像データを記録媒体上に印刷するプリンタ１１とを有しており、これらスキャナ３及びプリンタ１１は互いに接続され、各種の情報を送受信しつつ、共働して複写処理を行う。
基本的な構成として、上記スキャナ３は、原稿を読み取り電子画像データに変換するＣＣＤ４と、スキャナ３の出力側近傍に設けられ、ＣＣＤ４により得られた画像データを処理した上で出力する画像処理回路５と、スキャナ３内の各部の動作を制御するＣＰＵ６と、スキャナ用回路データファイル７とを有している。他方、上記プリンタ１１は、その入力側近傍に設けられ、上記スキャナ３から受信した画像データを処理する画像処理回路１２と、画像データを用紙上に現像し印刷するレーザ１３（図中のＬＤ）と、プリンタ１１内の各部の動作を制御するＣＰＵ１４とを有している。
【００１１】
上記スキャナ３とプリンタ１１との間では、複写処理に際して、図１に示すように、スキャナ３側の画像処理回路５からプリンタ１１側の画像処理回路１２へ画像データが直接に供給され、また、スキャナ３側のＣＰＵ６及びプリンタ１１側のＣＰＵ１４が、他方の機器の種類や動作状態を識別するように、互いに通信し合う。このとき、上記各画像処理回路５及び１２では、それぞれ、例えば解像度，カラー／モノクロ，階調数について所定の仕様に基づき画像データが処理されるようになっており、前述したように、画像データが各画像処理回路５及び１２により逐次処理されるためには、画像処理回路５及び１２において同一の仕様に基づきデータ処理が行われる必要がある。
【００１２】
この必要に応じて、上記画像処理システム１０では、スキャナ３内に組み込まれる画像処理回路５として、与えられた回路構成情報に基づき画像データの処理仕様について設定可能なものが用いられている。この実施の形態では、かかる画像処理回路の一部に、従来知られている書込み可能ゲート・アレイ５ａ（所謂、ＦＰＧＡ（Field Programmable gatearray））を用いるようにした。尚、このＦＰＧＡ自体は従来より公知の技術であるので、本件では、詳細な回路構成等の説明については省略する。このＦＰＧＡ５ａによれば、プログラム可能な論理モジュールを規則的に並べ、その間に配線領域を用意して、論理モジュールと配線領域をプログラムに応じて接続することで所望の論理を実現することができ、これにより、与えられた各種のプログラムに基づき、画像データを様々な仕様で処理することが可能である。なお、詳しくは後述するが、ＦＰＧＡ５ａは揮発性のデバイスで、与えられたプログラムに基づき設定された回路の仕様は、電源オフ時に、保持されることなく無効になる。
また、更に、この実施の形態では、スキャナ３内に、上記画像処理回路５に付与されるプログラム、つまり回路構成情報（以下、回路データという）を複数保存する回路データファイル７が設けられている。
【００１３】
かかる構成を備えた画像処理システム１０では、複写処理に際して、スキャナ３側の画像処理回路５の仕様が、次のように設定される。
まず、上記スキャナ３とプリンタ１１とが互いに接続された状態で、両者に組み込まれたＣＰＵ６とＣＰＵ１４との間の通信により、プリンタ１１側の画像処理回路１２で採用される仕様が識別される。次に、スキャナ３において、この仕様に対応する回路データが、上記回路データファイル７から選択され、ＣＰＵ６を経由して上記画像処理回路５へ送られる。画像処理回路５では、上記回路データファイル７から選択された回路データに基づき、ＦＰＧＡ５ａの論理モジュールと配線領域とが接続されて、その仕様が設定される。これにより、画像処理回路５は、プリンタ１１側の画像処理回路１２の仕様と同一の仕様で画像データを処理することが可能となる。
【００１４】
図２からよく分かるように、上記ＣＰＵ６と画像処理回路５とは、ＣＰＵバス９を介して互いに接続されており、回路データファイル７から選択された回路データは、上記ＣＰＵ６を経由し、上記ＣＰＵバス９を通じて画像処理回路５へ送られる。
前述したように、画像データの処理仕様について設定可能な画像処理回路５は揮発性であるため、該画像処理回路５において所定の回路データに基づき設定された画像データの処理仕様は、電源オフ時に、保持されることなく無効になる。このため、上記画像処理システム１０では、スキャナ３に電源が投入されると、その都度、プリンタ１１の仕様情報に対応する回路データが、画像処理回路５へ新たに転送されるようになっている。
【００１５】
この様式に従えば、通常、電源投入時に、前回の仕様と同じ仕様が要求される場合にも、画像処理回路５に対して前回と同一の回路データを転送する必要があるが、この場合における回路データの転送を簡略化するために、本実施の形態では、上記ＣＰＵ６及び画像処理回路５にＣＰＵバス９を介して連絡する不揮発性メモリ２１が設けられている。この不揮発性メモリ２１は、回路データが回路データファイル７（図１参照）から選択されＣＰＵ６を経由して画像処理回路５へ送られるに際して、その回路データを記憶するものである。
かかる不揮発性メモリ２１を設けることにより、スキャナ３へ再度電源を投入した時に、前回の転送時に記憶された回路データを不揮発性メモリ２１から画像処理回路５へ直接に供給することができる。その結果、再度、回路データファイル７から回路データを選択し、該回路データを所定の通信回線を通じて転送する必要をなくすることができ、回路データの転送時間を省いて、装置の立上げ時間を短縮することができる。
【００１６】
図３の（ａ）及び（ｂ）は、それぞれ、上記スキャナ３側におけるＣＰＵ６経由での回路データ転送時および電源投入時の、回路データに基づく画像処理回路５の仕様の設定についてのフローチャートである。
図３の（ａ）に示すように、上記画像処理回路５へＣＰＵ６経由で回路データが転送されるに際して、まず、ＣＰＵ６が回路データファイル７から選択された回路データを受信する（♯１１）。続いて、ＣＰＵ６は、受信した回路データを上記不揮発性メモリ２１へ送り、該不揮発性メモリ２１は、送られてきた回路データを記憶する（♯１２）。更に、ＣＰＵ６は、ＣＰＵバス９を通じて、受信した回路データを揮発性のＦＰＧＡ５ａを備えた画像処理回路５へ送り、該画像処理回路５において、回路データに基づく画像データの処理仕様が設定される（♯１３）。電源オフ時には、上記画像処理回路５にて設定された仕様が無効になり、また、一方、上記不揮発性メモリ２１の記憶された回路データは保持される。
【００１７】
続いて、図３の（ｂ）に示すように、再度電源が投入され、前回の仕様と同じ仕様が要求されると、上記不揮発性メモリ２１に記憶された回路データが読み出される（♯１６）。この回路データは画像処理回路５に送られ、該画像処理回路５は、回路データに基づく画像データの処理仕様について設定される（♯１７）。
このようにして、スキャナ３に電源が投入され、前回の仕様と同じ仕様が要求された場合に、上記不揮発性メモリ２１に記憶された回路データが読み出されることにより、再度、回路データファイル７から所望の回路データを選択し、該回路データを所定の通信回線を通じて転送する必要をなくすることができ、回路データの転送時間を省いて、装置の立上げ時間を短縮することができる。
【００１８】
以下、本発明の他の実施の形態について説明する。尚、以下の説明では、前述した実施の形態１における場合と同一のものについては同じ符号を付し、それ以上の説明は省略する。
実施の形態２．
図４は、本発明の実施の形態２に係る画像処理システムの構成を示す説明図である。この画像処理システム２０は、前述した実施の形態１の場合と同様の構成を有するもので、本実施の形態２では、上記スキャナ２２側の画像処理回路５に付与される回路データを複数保存する回路データファイル３７が、プリンタ３１側に設けられている。また、前述した実施の形態１の場合と同様に、スキャナ２２側において、ＣＰＵ２６及び画像処理回路５に連絡する不揮発性メモリ２１が設けられている。
【００１９】
この画像処理システム２０では、複写処理に際して、スキャナ２２側の画像処理回路５の仕様が、次のように設定される。
まず、上記スキャナ２３とプリンタ３１とが互いに接続された状態で、両者に組み込まれたＣＰＵ２６とＣＰＵ３４との間の通信により、プリンタ３１側の画像処理回路１２の仕様が識別されると、スキャナ２２において、この仕様に対応する回路データがプリンタ３１内に設けられた回路データファイル３７から選択される。選択された回路データは、プリンタ３１側のＣＰＵ３４及びスキャナ２２側のＣＰＵ２６を経由して、スキャナ２２側の画像処理回路５に転送され、該画像処理回路５では、上記回路データファイル３７から転送された回路データに基づき、ＦＰＧＡ５ａの論理モジュールと配線領域とが接続されて、その仕様が設定される。これにより、画像処理回路５は、プリンタ３１側の画像処理回路１２で採用される仕様と同一の仕様で画像データを処理することが可能となる。
【００２０】
かかる画像処理回路５の仕様の設定に際して、上記画像処理システム２０では、回路データファイル３７からＣＰＵ３４，２６を経由して画像処理回路５へ転送される回路データが、上記不揮発性メモリ２１に記憶されるようになっている。これにより、スキャナ２２の電源オフ後にも、回路データは不揮発性メモリ２１において保持される。そして、スキャナ２２へ再度電源を投入し、前回と同じ仕様が要求された場合には、前回の転送時に記憶された回路データが、不揮発性メモリ２１から画像処理回路５へ直接に供給される。その結果、再度、回路データファイル３７から回路データを選択し、該回路データを所定の通信回線を通じて転送する必要をなくすることができ、回路データの転送時間を省いて、装置の立上げ時間を短縮することができる。
【００２１】
実施の形態３．
図５は、本発明の実施の形態３に係る画像処理システムの構成を示す説明図である。前述した実施の形態では、与えられた回路データに基づき画像データの処理仕様について設定可能な画像処理回路が、スキャナ側に組み込まれていた。この実施の形態３では、かかる画像処理回路５２が、プリンタ５１側に組み込まれており、スキャナ４２側の画像処理回路４５の仕様に応じて、プリンタ５１側の画像処理回路５２の仕様が設定されるようになっている。また、この実施の形態３では、プリンタ５１側において、ＣＰＵ５４及び画像処理回路５２に連絡する不揮発性メモリ２１が設けられている。
【００２２】
この画像処理システム４０では、複写処理に際して、プリンタ５１側の画像処理回路５２の仕様が、次のように設定される。
まず、上記スキャナ４２とプリンタ５１とが互いに接続された状態で、両者に組み込まれたＣＰＵ４６とＣＰＵ５４との間の通信により、スキャナ４２側の画像処理回路４５で採用される仕様が識別されると、プリンタ５１において、この仕様に対応する回路データがスキャナ４２内に設けられた回路データファイル４７から選択される。選択された回路データは、スキャナ４２側のＣＰＵ４６及びプリンタ５１側のＣＰＵ５４を経由して、プリンタ５１側の画像処理回路５２に転送され、該画像処理回路５２では、上記回路データファイル４７から選択された回路データに基づき、ＦＰＧＡ５２ａの論理モジュールと配線領域とが接続されて、その仕様が設定される。これにより、画像処理回路５２は、スキャナ４２側の画像処理回路４５で採用される仕様と同一の仕様で画像データを処理することが可能となる。
【００２３】
かかる画像処理回路５２の仕様の設定に際して、上記画像処理システム４０では、回路データファイル４７からＣＰＵ４６，５４を経由して画像処理回路５２へ転送される回路データが、上記不揮発性メモリ２１に記憶されるようになっている。これにより、プリンタ４２の電源オフ後にも、回路データは不揮発性メモリ２１において保持される。そして、プリンタ４２へ再度電源を投入し、前回と同じ仕様が要求された場合には、前回の転送時に記憶された回路データが、不揮発性メモリ２１から画像処理回路５２へ直接に供給される。その結果、再度、回路データファイル４７から回路データを選択し、該回路データを所定の通信回線を通じて転送する必要をなくすることができ、回路データの転送時間を省いて、装置の立上げ時間を短縮することができる。
【００２４】
実施の形態４．
図６は、本発明の実施の形態４に係る画像処理システムの構成を示す説明図である。この画像処理システム６０は、前述した実施の形態３の場合と同様の構成を有するもので、本実施の形態４では、プリンタ７１側の画像処理回路５２に付与される回路データを複数保存する回路データファイル７７が、プリンタ７１側に設けられている。また、前述した実施の形態３の場合と同様に、プリンタ７１側において、ＣＰＵ７４及び画像処理回路５２に連絡する不揮発性メモリ２１が設けられている。
【００２５】
この画像処理システム６０では、複写処理に際して、スキャナ６２側の画像処理回路４５の仕様が、次のように設定される。
まず、上記スキャナ６２とプリンタ７１とが互いに接続された状態で、両者に組み込まれたＣＰＵ６６とＣＰＵ７４との間の通信により、スキャナ６２側の画像処理回路４５で採用される仕様が識別されると、プリンタ７２において、この仕様に対応する回路データがプリンタ７１内に設けられた回路データファイル７７から選択される。選択された回路データは、ＣＰＵ７４を経由して、画像処理回路５２に送られ、該画像処理回路５２では、その回路データに基づき、ＦＰＧＡ５２ａの論理モジュールと配線領域とが接続されて、その仕様が設定される。これにより、画像処理回路５２は、スキャナ６２側の画像処理回路４５で採用される仕様と同一の仕様で画像データを処理することが可能となる。
【００２６】
かかる画像処理回路５２の仕様の設定に際して、上記画像処理システム６０では、回路データファイル７７からＣＰＵ４６，５４を経由して画像処理回路５２へ転送される回路データが、上記不揮発性メモリ２１に記憶されるようになっている。これにより、プリンタ５２の電源オフ後にも、回路データは不揮発性メモリ２１において保持される。そして、プリンタ５２へ再度電源を投入し、前回と同じ仕様が要求された場合には、前回の転送時に記憶された回路データが、不揮発性メモリ２１から画像処理回路５２へ直接に供給される。その結果、再度、回路データファイル７７から回路データを選択し、該回路データを所定の通信回線を通じて転送する必要をなくすることができ、回路データの転送時間を省いて、装置の立上げ時間を短縮することができる。
【００２７】
実施の形態５．
図７は、本発明の実施の形態５に係る画像処理システムの構成を示す説明図である。
この実施の形態５では、画像処理システム８０が、スキャナとして、カラースキャナ８２Ａと解像度１２００ｄｐｉのモノクロスキャナ８２Ｂとを有し、また、一方、プリンタとして、カラープリンタ９１Ａと解像度１２００ｄｐｉのモノクロプリンタ９１Ｂと解像度６００ｄｐｉのモノクロプリンタ９１Ｃとを有し、複数のスキャナ及びプリンタから構成されている。上記スキャナ８２Ａ，８２Ｂは、それぞれ、所定の通信回線を介して、プリンタ９１Ａ，９１Ｂ及び９１Ｃと接続されており、スキャナ８２Ａ，８２Ｂ側に設けられたＣＰＵ８６Ａ，８６Ｂとプリンタ９１Ａ，９１Ｂ，９１Ｃ側に設けられたＣＰＵ９４Ａ，９４Ｂ，９４Ｃとの間では、通信が可能である。
【００２８】
ここでは、上記スキャナ８２Ａ，８２Ｂ及びプリンタ９１Ａ，９１Ｂ及び９１Ｃの全てに関し、それらに組み込まれる画像処理回路８５Ａ，８５Ｂ，９２Ａ，９２Ｂ，９２Ｃが、与えられた回路データに応じて画像データの処理仕様について設定可能であり、これら各画像処理回路８５Ａ，８５Ｂ，９２Ａ，９２Ｂ，９２Ｃに送られる回路データを複数保存する回路データファイル８７が、上記モノクロスキャナ８２Ｂ内に設けられている。
この実施の形態では、上記画像データの処理仕様について設定可能な画像処理回路８５Ａ，８５Ｂ，９２Ａ，９２Ｂ，９２Ｃ及びＣＰＵ８６Ａ，８６Ｂ，９２Ａ，９２Ｂ，９２Ｃの各対に応じて、不揮発性メモリ２１が設けられている。
なお、上記プリンタ９１Ａ，９１Ｂ及び９１Ｃには、それぞれ、データ入力側に、上記スキャナの種類に対応する数（ここでは２つ）の入力部が設けられており、各画像処理回路９２Ａ，９２Ｂ，９２Ｃ毎に、スキャナ８２Ａ，８２Ｂからの画像データの入力に際して、必要なデータが選択されるようになっている。
【００２９】
かかる構成を備えた画像処理システム８０では、複写処理に際して、スキャナ及びプリンタに組み込まれた画像処理回路の仕様が、以下のように設定される。
第一に、スキャナ側の画像処理回路８５Ａ，８５Ｂの仕様に応じて、プリンタ側の画像処理回路９２Ａ，９２Ｂ，９２Ｃの仕様が設定される場合について考える。この場合には、まず、スキャナ側のＣＰＵ８６Ａ，８６Ｂとプリンタ側のＣＰＵ９４Ａ，９４Ｂ，９４Ｃとの間の通信により、スキャナ側の画像処理回路８５Ａ，８５Ｂの仕様が識別される。プリンタ９１Ａ，９１Ｂ，９１は、それぞれ、そのいずれか一方の仕様に応じ、上記通信回線を通じて、上記モノクロスキャナ８２Ｂ内に設けられた回路データファイル８７から回路データを選択する。選択された回路データは、モノクロスキャナ８２ＢのＣＰＵ８６Ｂ及びプリンタ側の各ＣＰＵ９４Ａ，９４Ｂ，９４Ｃを経由して、上記各画像処理回路９２Ａ，９２Ｂ，９２Ｃへ転送される。各画像処理回路９２Ａ，９２Ｂ，９２Ｃでは、回路データファイル８７から転送された回路データに基づき、各ＦＰＧＡ９２ａ，９２ｂ，９２ｃの論理モジュールと配線領域とが接続されて、その仕様が設定される。これにより、各画像処理回路９２Ａ，９２Ｂ，９２Ｃは、スキャナ側の画像処理回路８５Ａ，８５Ｂの仕様に同一の仕様で画像データを生成することが可能となる。
【００３０】
第二に、プリンタ側の画像処理回路９２Ａ，９２Ｂ，９２Ｃの仕様に応じて、スキャナ側の画像処理回路８５Ａ，８５Ｂの仕様が設定される場合について考える。この場合には、まず、スキャナ側のＣＰＵ８６Ａ，８６Ｂとプリンタ側のＣＰＵ９４Ａ，９４Ｂ，９４Ｃとの間の通信により、各プリンタ側の画像処理回路９２Ａ，９２Ｂ，９２Ｃの仕様が識別される。スキャナ８２Ａ，８２Ｂは、それぞれ、それらのいずれか一の仕様に応じ、上記モノクロスキャナ８２Ｂ内に設けられた回路データファイル８７から回路データを選択する。選択された回路データは、モノクロスキャナ８２Ｂ側のＣＰＵ８６Ｂを経由して画像処理回路８５Ｂへ、若しくは、モノクロスキャナ８２Ｂ側のＣＰＵ８６Ｂ及びカラースキャナ８２Ａ側のＣＰＵ８６Ａを経由して、上記カラースキャナ８２Ａ側の画像処理回路８５Ａへ送られる。
各画像処理回路８５Ａ，８５Ｂでは、回路データファイル８７から選択された回路データに基づき、各ＦＰＧＡ８５ａ，８５ｂの論理モジュールと配線領域とが接続されて、その仕様が設定される。これにより、各画像処理回路８５Ａ，８５Ｂは、プリンタ側の画像処理回路９２Ａ，９２Ｂ，９２Ｃの仕様に同一の仕様で画像データを生成することが可能となる。
【００３１】
前述した２通りの場合における画像処理回路８５Ａ，８５Ｂ又は９２Ａ，９２Ｂ、９２Ｃの仕様の設定に際して、上記画像処理システム８０では、回路データファイル８７から各画像処理回路へ転送される回路データが、上記各不揮発性メモリ２１に記憶されるようになっている。これにより、各機器の電源オフ後にも、回路データは不揮発性メモリ２１において保持される。そして、スキャナ８２Ａ，８２Ｂ又はプリンタ９１Ａ，９１Ｂ，９１Ｃへ再度電源を投入し、前回と同じ仕様が要求された場合には、前回の転送時に記憶された回路データが、各不揮発性メモリ２１から画像処理回路８５Ａ，８５Ｂ又は９２Ａ，９２Ｂ，９２Ｃへ供給される。これにより、再度、回路データファイル８７から回路データを選択し、該回路データを所定の通信回線を通じて転送する必要をなくすることができ、回路データの転送時間を省いて、装置の立上げ時間を短縮することができる。
【００３２】
なお、本発明は、例示された実施の形態に限定されるものでなく、本発明の要旨を逸脱しない範囲において、種々の改良及び設計上の変更が可能であることは言うまでもない。
【００３３】
【発明の効果】
本願の請求項１に係る発明によれば、原稿読取装置において、その一部が、与えられた回路構成情報に基づき回路論理の書換え可能なデバイスで構成された第１の画像処理部が設けられるとともに、上記第１の画像処理部に与えられた回路構成情報を格納する不揮発性メモリが設けられ、原稿読取装置の電源投入時に、上記プリント装置の第２の画像処理部の処理仕様が前回識別された処理仕様と同じである場合には、該不揮発性メモリから回路構成情報を読み出して、上記第１の画像処理部の回路論理を書き換えるため、原稿読取装置の第１の画像処理部とプリント装置の第２の画像処理部との間で同一の仕様で画像データを処理することが可能となるのに加え、原稿読取装置の電源投入時に、上記原稿読取装置の第１の画像処理部の処理仕様として、前回と同じ仕様が要求された場合には、回路構成情報をプリント装置から原稿読取装置へ転送する必要をなくすることができ、回路データの転送時間を省いて、装置の立上げ時間を短縮することができる。
【００３４】
また、本願の請求項２に係る発明によれば、プリント装置において、その一部が、与えられた回路構成情報に基づき回路論理の書換え可能なデバイスで構成された第２の画像処理部が設けられるとともに、上記第２の画像処理部に与えられた回路構成情報を格納する不揮発性メモリが設けられ、プリント装置の電源投入時に、上記原稿読取装置の第１の画像処理部の処理仕様が前回識別された処理仕様と同じである場合には、該不揮発性メモリから回路構成情報を読み出して、上記第２の画像処理部の回路論理を書き換えるため、原稿読取装置の第１の画像処理部とプリント装置の第２の画像処理部との間で同一の仕様で画像データを処理することが可能となるのに加え、プリント装置の電源投入時に、上記プリント装置の第２の画像処理部の処理仕様として、前回と同じ仕様が要求された場合には、回路構成情報をプリント装置から原稿読取装置へ転送する必要をなくすることができ、回路データの転送時間を省いて、装置の立上げ時間を短縮することができる。
【図面の簡単な説明】
【図１】  本発明の実施の形態１に係る画像処理システムの構成を示す説明図である。
【図２】  上記画像処理システムのスキャナ内に設けられた画像処理回路（ＦＰＧＡ）への回路データ送信の説明図である。
【図３】  （ａ）上記画像処理システムにおけるＣＰＵ経由での回路データ転送時の回路データに基づく画像処理回路の仕様の設定についてのフローチャートである。
（ｂ）上記画像処理システムにおける電源投入時の回路データに基づく画像処理回路の仕様の設定についてのフローチャートである。
【図４】  本発明の実施の形態２に係る画像処理システムの構成を示す説明図である。
【図５】  本発明の実施の形態３に係る画像処理システムの構成を示す説明図である。
【図６】  本発明の実施の形態４に係る画像処理システムの構成を示す説明図である。
【図７】  本発明の実施の形態５に係る画像処理システムの構成を示す説明図である。
【符号の説明】
３…スキャナ
５…画像処理回路
５ａ…ＦＰＧＡ
６…スキャナ側のＣＰＵ
７…回路データファイル
１０…画像処理システム
１１…プリンタ
１２…画像処理回路
１４…プリンタ側のＣＰＵ
２１…不揮発性メモリ
【図１】
0003726602.tif 000002
【図２】
0003726602.tif 000003
【図３】
0003726602.tif 000004
【図４】
0003726602.tif 000005
【図５】
0003726602.tif 000006
【図６】
0003726602.tif 000007
【図７】
0003726602.tif 000008